(57)【要約】【課題】外乱光による影響をさらに低減し、検出精度の高い物体検出回路を実現する。【解決手段】パルス変調された光を照射する発光素子１２と、被検出物体の有無に応じて発光素子１２からの出力パルス光を受光する受光素子１３とを備える。さらに、受光素子１３にて検知されたパルス光が、発光素子１２から照射されるパルス幅に一致するか否かをパルス幅検知回路１６によって判定し、一致しない場合にはその検知光が外乱光を誤検知したものであると判定する。【選択図】図１
2008267884.tif 000002
【特許請求の範囲】
【請求項１】
パルス変調された光を照射する発光素子と、
被検出物体の有無に応じて上記発光素子からの出力パルス光を受光する受光素子と、
上記受光素子にて検知されたパルス光が、上記発光素子からの出力パルス光であるか否かを判定する受光パルス判定部とを備えたことを特徴とする物体検出回路。
【請求項２】
上記受光パルス判定部は、上記受光素子にて検知されたパルス光のパルス幅が上記発光素子から照射されるパルス幅に一致するか否かに基づいて、上記発光素子からの出力パルス光であるか否かを判定することを特徴とする請求項１に記載の物体検出回路。
【請求項３】
上記受光パルス判定部は、
上記受光素子にて検知されたパルス光と基準クロック信号とを入力とするＡＮＤ回路と、
上記ＡＮＤ回路の出力におけるパルス数をカウントするカウンタ回路と、
上記カウンタ回路においてカウントされたパルス数が所定数であるか否かに基づいて、上記発光素子からの出力パルス光であるか否かを判定する判定回路とを備えていることを特徴とする請求項２に記載の物体検出回路。
【請求項４】
上記受光パルス判定部は、上記受光素子にて検知されたパルス光の、所定期間内のパルス数に基づいて、上記発光素子からの出力パルス光であるか否かを判定することを特徴とする請求項１に記載の物体検出回路。
【請求項５】
上記受光パルス判定部は、
上記受光素子にて検知されたパルス光の、所定期間内のパルス数をカウントするカウンタ回路と、
上記カウンタ回路においてカウントされたパルス数が所定数であるか否かに基づいて、上記発光素子からの出力パルス光であるか否かを判定する判定回路とを備えていることを特徴とする請求項４に記載の物体検出回路。
【請求項６】
上記発光素子を除く部分をモノリシック集積回路上に構成したことを特徴とする請求項１ないし５の何れか一項に記載の物体検出回路。
【請求項７】
上記請求項１ないし６の何れか一項に記載の物体検出回路を備えたことを特徴とする物体検出装置。
【請求項８】
上記受光素子の前面に可視光カット手段を備えたことを特徴とする請求項７に記載の物体検出装置。
【請求項９】
上記請求項６に記載の物体検出回路を備えており、
上記受光素子の前面に、可視光カット手段を同一のモノリシック集積回路上に設けたことを特徴とする物体検出装置。
【発明の詳細な説明】
【技術分野】
【０００１】
本発明は、例えばフォトインタラプタや光電スイッチ等のように発光素子からパルス変調された光を投光し物体の有無を検出する物体検出回路および物体検出装置に関するものである。
【背景技術】
【０００２】
図７に従来の光パルス変調型物体検出回路１００の構成例を、図８に該光パルス変調型物体検出回路１００における各点の動作波形を示す。尚、図８は、外乱光の入力が無い場合の動作波形を示している。
【０００３】
従来の光パルス変調型物体検出回路１００は、図７に示すように、発光素子駆動回路１０１、発光素子１０２、受光素子１０３、増幅回路１０４、コンパレータ回路１０５、復調回路１０６、変調信号発生回路１０７、出力回路１０８を備えて構成されている。
【０００４】
発光素子駆動回路１０１は、変調信号発生回路１０７から入力される変調信号に基づいて、発光素子１０２を駆動する。この時、発光素子１０２からは、パルス位置光パルス信号出力（図７および図８における(A)）が投射される。発光素子１０２から投射された光パルス信号出力は、被検出物である物体１１０に反射されて、受光素子１０３に入力する。また、被検出物である物体１１０が存在していない場合は、発光素子１０２から投射される光パルス信号出力はそのまま投射方向へ進行し、受光素子１０３における反射光の入力は発生しない。すなわち、図７の構成では、受光素子１０３での受光がある場合に物体有りと検出され、受光素子１０３での受光が無い場合に物体無しと検出される。
【０００５】
尚、図７の構成では、発光素子１０２からのパルス信号出力が受光素子１０３に向けて投射されるものではなく、物体１１０による反射光によって物体の有無を検出する構成である。しかしながら、発光素子１０２からのパルス信号出力を受光素子１０３に向けて投射し、この投射光が物体によって遮断されるか否かによって、物体の有無を検出する構成とすることもできる。この場合は、受光素子１０３での受光がある場合に物体無しと検出され、受光素子１０３での受光が無い場合に物体有りと検出される。
【０００６】
受光素子１０３への光パルス信号入力（図７および図８における(B)）があった場合、該光パルス信号は電流に変換され、さらに、増幅回路１０４によって電流から電圧信号に変換され、増幅される。
【０００７】
増幅回路１０４の出力電圧（図７および図８における(C)）は、次にコンパレータ回路１０５に入力される。コンパレータ回路１０５内では、増幅回路出力電圧が内部の判定値と比較され、コンパレータ回路１０５は、その判定結果に基づく信号（コンパレータ出力電圧：図７および図８における(D)）を出力する。
【０００８】
コンパレータ回路１０５の出力電圧は、復調回路１０６に入力される。復調回路１０６においては、上記変調信号発生回路１０７から出力される同期信号と、コンパレータ回路１０５からの出力信号との同期検出を図り、複数回検知を確認した場合に、出力回路１０８に検知信号（復調回路出力電圧：図７および図８における(F)）を発する。尚、復調回路１０６に入力される上記同期信号は、上記発光素子駆動回路１０１に入力される変調信号と同じパルス幅およびパルス位置を有する信号である。出力回路１０８は、復調回路１０６から検知信号に応じて、物体の有無を示す信号を出力する。
【０００９】
このように、上記光パルス変調型物体検出回路は、変調信号発生回路１０７から出力される変調信号に基づいて発光素子１０２から光パルス信号を出力し、受光素子１０３にて受光された光パルス信号と上記変調信号との同期確認を行なうことによって、外光の影響を受けにくい物体検出を可能としている。
【００１０】
このような光パルス変調型物体検出回路を開示するものとしては、例えば、以下の特許文献１ないし４が挙げられる。また、特許文献５には、外乱光に対する遮光性を高めることで、外乱光の影響を低減した非変調型の光センサが開示されている。
【特許文献１】特開平９−３０７１３７（公開日：１９９７年１１月２８日）
【特許文献２】特開２００３−２４０６３７（公開日：２００３年８月２７日）
【特許文献３】実用新案登録第３１０５４６０号（登録日：２００４年９月１日）
【特許文献４】特開２００５−２４９５３４（公開日：２００５年９月１５日）
【特許文献５】特開平９−１２７２５６（公開日：１９９７年５月１６日）
【発明の開示】
【発明が解決しようとする課題】
【００１１】
上記光パルス変調型物体検出回路を具備した物体検出装置は、変調した光パルスを使用しているため外部からの光の影響を受けにくいとの利点があり、その理由から、近年、種々の機器に搭載されている。搭載されている機器には、複写機等のＯＡ機器などがあるが、使用される機器の環境によっては室内の照明が強く照射される場合がある。
【００１２】
また、近年室内で使用される照明には、その効率性およびチラツキ感の少なさから、インバータ駆動方式の蛍光灯が多く利用されている。インバータ駆動方式の蛍光灯はおよそ２０ＫＨｚ〜７０ＫＨｚで駆動されている。
【００１３】
そのインバータ蛍光灯の光が、光パルス変調型物体検出装置の外乱光として入射し、蛍光灯の発光周期が光パルス変調型物体検出装置の変調信号光と同期した場合には、その検出精度を劣化させ、場合によっては誤動作することがある。このためより検出精度の高い検出装置が求められている。
【００１４】
図９は、上記従来の光パルス変調型物体検出回路において、外乱光の入力がある場合の各点の動作波形を示す。尚、図７および９においては、受光素子１０３へ入射される外乱光は（E）にて示す。
【００１５】
外乱光の入力がある場合には、（E）に示す波形の外乱光が発光素子１０２からの出力光(A)に重畳され、その結果、受光素子１０３への入力光は(B)に示す波形となる。
【００１６】
増幅回路１０４においては、受光素子１０３への入力光がその波形のまま増幅されるため、増幅回路出力電圧波形は(C)に示す波形となる。コンパレータ回路１０５においては、増幅回路出力電圧を内部の判定値と比較し、増幅回路出力電圧が上記判定値よりも多くなる期間でＨｉｇｈとなるコンパレータ出力電圧(D)を出力する。
【００１７】
コンパレータ出力電圧(D)においては、上記判定値と比較される増幅回路出力電圧(C)に同期信号の外乱光が重畳されているため、そのパルス信号が正常でないにもかかわらず、同期信号検知期間にＨｉｇｈ期間を有するコンパレータ出力信号が出力される虞がある。このため、以降の復調回路１０６においても複数回の同期検知が確認される虞がある。
【００１８】
上述のように、外乱光が入射している状態においては、正規の物体からの反射信号光あるいは透過光が、受光光として十分な検知レベルに到達していなくても、上記外乱光の影響によって検知されてしまう不都合が生じる。これにより、検出精度の低下、さらに環境が悪化した場合によっては誤動作につながる虞がある。
【００１９】
本発明は、上記の問題点に鑑みてなされたものであり、その目的は、外乱光による影響をさらに低減し、検出精度の高い物体検出回路を実現することにある。
【課題を解決するための手段】
【００２０】
本発明に係る物体検出回路は、上記課題を解決するために、パルス変調された光を照射する発光素子と、被検出物体の有無に応じて上記発光素子からの出力パルス光を受光する受光素子と、上記受光素子にて検知されたパルス光が、上記発光素子からの出力パルス光であるか否かを判定する受光パルス判定部とを備えたことを特徴としている。
【００２１】
上記の構成によれば、上記受光素子によってパルス光が検知された場合、その検知光が上記発光素子からの出力パルス光を検知したものであるのか、あるいは、外乱光を誤検知したものであるのかが上記受光パルス判定部によって判定される。これにより、正規のパルス信号と外乱光との識別が可能となり、より精度の高い検出が可能になる。
【００２２】
また、上記物体検出回路において、上記受光パルス判定部は、上記受光素子にて検知されたパルス光のパルス幅が上記発光素子から照射されるパルス幅に一致するか否かに基づいて、上記発光素子からの出力パルス光であるか否かを判定する構成とすることができる。
【００２３】
上記の構成によれば、上記受光素子にて検知されたパルス光のパルス幅が上記発光素子から照射されるパルス幅に一致する場合に、その検知光が上記発光素子からの出力パルス光を検知したものであると判定できる。一方、上記受光素子にて検知されたパルス光のパルス幅が上記発光素子から照射されるパルス幅に一致しない場合には、その検知光が外乱光を誤検知したものであると判定できる。
【００２４】
また、上記物体検出回路において、上記受光パルス判定部は、上記受光素子にて検知されたパルス光と基準クロック信号とを入力とするＡＮＤ回路と、上記ＡＮＤ回路の出力におけるパルス数をカウントするカウンタ回路と、上記カウンタ回路においてカウントされたパルス数が所定数であるか否かに基づいて、上記発光素子からの出力パルス光であるか否かを判定する判定回路とを備えている構成とすることができる。
【００２５】
上記の構成によれば、上記ＡＮＤ回路における出力は、上記受光素子にて検知されたパルス幅期間内に含まれるクロック信号を示すものとなるため、上記カウンタ回路のカウント数は、上記受光素子にて検知されたパルス幅期間を基準クロックのクロック数で表したものとなる。このため、上記判定回路では、上記カウンタ回路においてカウントされたパルス数が所定数であるか否かに基づいて、上記発光素子からの出力パルス光を検知したものであるか否かを判定することができる。
【００２６】
また、上記物体検出回路において、上記受光パルス判定部は、上記受光素子にて検知されたパルス光の、所定期間内のパルス数に基づいて、上記発光素子からの出力パルス光であるか否かを判定する構成とすることができる。
【００２７】
上記の構成によれば、上記受光素子にて検知されたパルス光の、所定期間内のパルス数に基づいて、その検知光が上記発光素子からの出力パルス光を検知したものであると判定できる。例えば、本発明において想定する外乱光がインバータ蛍光灯の光である場合には、所定期間内に多くのパルスが検知されるため、上記受光素子にて検知されたパルス光のパルス数が所定数よりも多い場合には、その検知光が外乱光を誤検知したものであると判定できる。
【００２８】
また、上記物体検出回路において、上記受光パルス判定部は、上記受光素子にて検知されたパルス光の、所定期間内のパルス数をカウントするカウンタ回路と、上記カウンタ回路においてカウントされたパルス数が所定数であるか否かに基づいて、上記発光素子からの出力パルス光であるか否かを判定する判定回路とを備えている構成とすることができる。
【００２９】
上記の構成によれば、上記カウンタ回路のカウント数は、上記受光素子にて検知されたパルス光の、所定期間内のパルス数を表したものとなる。このため、上記判定回路では、上記カウンタ回路においてカウントされたパルス数が所定数であるか否かに基づいて、上記発光素子からの出力パルス光を検知したものであるか否かを判定することができる。
【００３０】
また、上記物体検出回路においては、上記発光素子を除く部分をモノリシック集積回路上に構成することができる。
【００３１】
上記の構成によれば、上記物体検出回路をより小型に構成することが可能となる。
【００３２】
また、上記物体検出回路を備えた物体検出装置においては、上記受光素子の前面に可視光カット手段を備えた構成とすることができる。
【００３３】
上記の構成によれば、外乱光となり易いインバータ蛍光灯の光の入力を低減することができ、正規の受光パルス光（通常は赤外光）との識別が容易になる。
【発明の効果】
【００３４】
本発明に係る物体検出回路は、以上のように、パルス変調された光を照射する発光素子と、被検出物体の有無に応じて上記発光素子からの出力パルス光を受光する受光素子と、上記受光素子にて検知されたパルス光が、上記発光素子からの出力パルス光であるか否かを判定する受光パルス判定部とを備えた構成である。
【００３５】
それゆえ、上記受光素子によってパルス光が検知された場合、その検知光が上記発光素子からの出力パルス光を検知したものであるのか、あるいは、外乱光を誤検知したものであるのかが上記受光パルス判定部によって判定される。これにより、正規のパルス信号と外乱光との識別が可能となり、より精度の高い検出が可能になるといった効果を奏する。
【発明を実施するための最良の形態】
【００３６】
〔実施の形態１〕
本発明の一実施形態について図１ないし図３に基づいて説明すると以下の通りである。先ずは、本実施の形態１に係る物体検出回路の構成例を図１に示す。
【００３７】
図１に示す物体検出回路１は、光パルス変調型であり、発光素子駆動回路１１、発光素子１２、受光素子１３、増幅回路１４、コンパレータ回路１５、パルス幅検知回路１６、復調回路１７、変調信号発生回路１８、出力回路１９を備えて構成されている。すなわち、物体検出回路１は、コンパレータ回路１５と復調回路１７との間にパルス幅検知回路１６を設けられた点で、図７に示す物体検出回路１００と相違している。また、パルス幅検知回路１６には、変調信号発生回路１８からクロック信号および同期信号が入力される。それ以外の構成は、図７に示す物体検出回路１００と基本的に同一の構成である。
【００３８】
発光素子駆動回路１１からコンパレータ回路１５までの構成および動作は、図７に示す発光素子駆動回路１０１からコンパレータ回路１０５までの構成および動作と同じである。したがって、パルス幅検知回路１６には、図８または図９に示すようなコンパレータ出力電圧(D)が入力される。
【００３９】
パルス幅検知回路１６は、コンパレータ出力電圧(D)において検知パルスが発生している場合、そのパルス幅を検出することによって、上記検知パルスが、被検出物体の有無に応じて発光素子１２からの出力パルス光を正常検知したものであるのか、あるいは外乱光による誤検知であるのかを判定する。
【００４０】
パルス幅検知回路１６の構成例を図２に示す。また、図３（ａ）は、被検出物体の有無に応じて発光素子１２からの出力パルス光を正常検知した場合の、パルス幅検知回路１６における各点の動作波形を示す。
【００４１】
パルス幅検知回路１６は、図２に示すように、ＡＮＤ回路２１、カウンタ回路２２および判定回路２３を備えて構成されている。
【００４２】
ＡＮＤ回路２１には、コンパレータ回路１５の出力信号（図２および図３（ａ）における(G)）と、変調信号発生回路１８からのクロック信号（図２および図３（ａ）における(H)）とが入力され、ＡＮＤ回路２１の出力信号（図２および図３（ａ）における(J)）はカウンタ回路２２に入力される。カウンタ回路２２は、変調信号発生回路１８からの同期信号（図２および図３（ａ）における(I)）が入力している期間、ＡＮＤ回路２１の出力信号(J)において発生しているパルスのカウント動作を行う。すなわち、ＡＮＤ回路２１の出力信号は、コンパレータ回路１５の出力信号において発生しているパルスの、パルス幅に応じた数のクロックパルスを含むものとなるため、カウンタ回路２２におけるカウント数は上記パルス幅を示すものとなる。
【００４３】
ここで、変調信号発生回路１８からカウンタ回路２２に入力される同期信号(I)は、発光素子駆動回路１１に入力される変調信号と同一のパルス幅を有する信号である。また、変調信号発生回路１８は内部に発振器を有しており、該発振器から出される基準クロック信号を所定数カウントすることで、変調信号および上記同期信号(I)のパルス幅を決定している。変調信号発生回路１８からＡＮＤ回路２１に入力されるクロック信号は、この基準クロック信号である。
【００４４】
受光素子１３が、被検出物体の有無に応じて発光素子１２からの出力パルス光を正常検知している場合、コンパレータ出力信号(G)において発生しているパルスのパルス幅は、同期信号(I)におけるパルス幅と等しいものとなる。この場合、ＡＮＤ回路２１の出力信号(J)において発生しているパルスのパルス数、すなわち、カウンタ回路２２におけるカウント数は、発光素子駆動回路１１に入力される変調信号に対応するクロック数と一致することになる。
【００４５】
判定回路２３は、カウンタ回路２２におけるカウント数が所望のカウント数か否かを判定（すなわち、コンパレータ出力信号(G)のパルス幅が所望の幅かどうかを判定）し、所望の数であれば、受光素子１３において正常な出力パルス光が検知されたことを示すため、復調回路１７への出力信号(K)においてパルスを発生させる。
【００４６】
復調回路１７では、図７における復調回路１０６と同様に、変調信号発生回路１８から出力される同期信号と、コンパレータ回路１０５からの出力信号との同期検出を図る。そして、出力信号(K)におけるパルスを複数回検知した場合に、出力回路１９に対して、被検出物体の有無に応じて発光素子１２からの出力パルス光を正常検知したことを示す検知信号を発する。
【００４７】
次に、図３（ｂ）は、受光素子１３で検知された入力光が外乱光である場合のパルス幅検知回路１６における各点の動作波形を示す。
【００４８】
ここで、本実施の形態で想定される外乱光は、例えばインバータ駆動方式の蛍光灯の光である。また、変調信号発生回路１８で生成される変調信号や同期信号のパルス幅は、上記インバータ蛍光灯の光において生じるパルスよりも広いパルス幅を有するように設定される。すなわち、受光素子１３においてインバータ蛍光灯の光が外乱光として検出された時、その検出光におけるパルス幅は、発光素子１２からの出力パルス光を正常検出した場合のパルス幅よりも狭いものとなる。
【００４９】
この場合、コンパレータ出力信号(G)のパルス幅は、変調信号発生回路１８から入力される同期信号(I)のパルス幅よりも狭いため、ＡＮＤ回路２１の出力信号(J)において発生しているパルスのパルス数、すなわち、カウンタ回路２２におけるカウント数は、発光素子駆動回路１１に入力される変調信号に対応するクロック数に満たないものとなる。その結果、判定回路２３は、コンパレータ出力信号(G)のパルス幅が所望の幅でないと判定し、受光素子１３に検知された光パルスは外乱光による誤検知であるとして、復調回路１７への出力信号(K)においてパルスを発生させない。
【００５０】
これにより、その後段の復調回路１７へのパルス信号入力がなされないため物体検知回路の信号出力がなされない。
【００５１】
上記の通り、物体検知回路において受光同期変調信号を検知する手段として、パルス幅を検知する回路を設けることにより、正規の同期信号と外乱光との識別が可能となり、より精度の高い検出が可能になる。
【００５２】
〔実施の形態２〕
本発明の他の実施形態について図４ないし図６に基づいて説明すると以下の通りである。先ずは、本実施の形態２に係る物体検出回路の構成例を図４に示す。
【００５３】
図４に示す物体検出回路２は、光パルス変調型であり、発光素子駆動回路１１、発光素子１２、受光素子１３、増幅回路１４、コンパレータ回路１５、パルス数検知回路３１、復調回路１７、変調信号発生回路１８、出力回路１９を備えて構成されている。すなわち、物体検出回路２は、図１に示す物体検出回路１と比べ、パルス幅検知回路１６に代えてパルス数検知回路３１を備えた構成である。それ以外の構成は、図１に示す物体検出回路１と同一の構成であるので、以下では詳細な説明は省略する。
【００５４】
図４に示す物体検出回路２においても、発光素子駆動回路１１からコンパレータ回路１５までの構成および動作は、図７に示す発光素子駆動回路１０１からコンパレータ回路１０５までの構成および動作と同じである。したがって、パルス数検知回路３１には、図８または図９に示すようなコンパレータ出力電圧(D)が入力される。
【００５５】
パルス数検知回路３１は、コンパレータ出力電圧(D)において検知パルスが発生している場合、そのパルス数を検出することによって、上記検知パルスが、被検出物体の有無に応じて発光素子１２からの出力パルス光を正常検知したものであるのか、あるいは外乱光による誤検知であるのかを判定する。
【００５６】
パルス幅検知回路１６の構成例を図５に示す。また、図６（ａ）は、被検出物体の有無に応じて発光素子１２からの出力パルス光を正常検知した場合の、パルス数検知回路３１における各点の動作波形を示す。
【００５７】
パルス数検知回路３１は、図５に示すように、カウンタ回路４１および判定回路４２を備えて構成されている。
【００５８】
カウンタ回路４１には、コンパレータ回路１５の出力信号（図５および図６（ａ）における(G)）と、変調信号発生回路１８からの同期信号（図２および図３（ａ）における(H)）とが入力される。カウンタ回路２２は、上記同期信号(H)が入力している期間、コンパレータ出力信号(G)において発生しているパルスのカウント動作を行い、そのカウント数を判定回路へ出力する。
【００５９】
受光素子１３が、被検出物体の有無に応じて発光素子１２からの出力パルス光を正常検知している場合、コンパレータ出力信号(G)において発生しているパルスは、同期信号(H)の入力期間（同期信号期間）内において１つのパルスを有する。
【００６０】
判定回路２３は、カウンタ回路２２におけるカウント数が所望のカウント数か否かを判定（すなわち、同期信号期間内におけるコンパレータ出力信号(G)のパルス数が所望の数かどうかを判定）し、所望の数（この場合は１）であれば、受光素子１３において正常な出力パルス光が検知されたことを示すため、復調回路１７への出力信号(I)においてパルスを発生させる。
【００６１】
次に、図６（ｂ）は、受光素子１３で検知された入力光が外乱光である場合のパルス数検知回路３１における各点の動作波形を示す。
【００６２】
ここでも、本実施の形態で想定される外乱光は、例えばインバータ駆動方式の蛍光灯の光である。また、変調信号発生回路１８で生成される変調信号や同期信号のパルス幅は、上記インバータ蛍光灯の光において生じるパルスが同期信号期間内に複数回含まれるように設定される。すなわち、受光素子１３においてインバータ蛍光灯の光が外乱光として検出された時、その検出光におけるパルス数は、発光素子１２からの出力パルス光を正常検出した場合のパルス数よりも多いものとなる。
【００６３】
一般的に、インバータの蛍光灯は２０ＫＨｚ〜７０ＫＨｚ程度の周波数で駆動されている。この場合の周期は１４ｕｓ〜５０ｕｓである。上記パルス数検知回路３１においてインバータ外乱光を複数回以上検知することにより正規の信号光との識別を確実に実施するには、正規の同期信号光のパルス幅を１００ｕｓ以上にすることが好適である。
【００６４】
受光素子１３で検知された入力光が外乱光である場合、コンパレータ出力信号(G)のパルスは、同期信号期間内において複数のパルスを有する。その結果、判定回路２３は、コンパレータ出力信号(G)のパルス数が所望の数でないと判定し、受光素子１３に検知された光パルスは外乱光による誤検知であるとして、復調回路１７への出力信号(I)においてパルスを発生させない。
【００６５】
これにより、その後段の復調回路１７へのパルス信号入力がなされないため物体検知回路の信号出力がなされない。
【００６６】
上記の通り、物体検知回路において受光同期変調信号を検知する手段として、パルス数を検知する回路を設けることにより、正規の同期信号と外乱光との識別が可能となり、より精度の高い検出が可能になる。
【００６７】
尚、上記実施の形態１および２に示す物体検出回路は、発光素子を除きモノリシック集積回路上に構成することが可能である。これにより、上記物体検出回路を備えたフォトインタラプタや光電スイッチ等の物体検出装置では、より小型化された物体検出装置の提供が可能になる。
【００６８】
また、上記物体検出回路に可視光カットのフィルタあるいは樹脂パッケージを組み合わせることにより、よりインバータ外乱光の入射が減り、より精度の高い物体検出装置の提供が可能になる。
【００６９】
一般的にインバータ蛍光灯による外乱光は可視光、物体検出装置からの照射光は赤外光である。故に可視光カットフィルタあるいは可視光カット樹脂パッケージを物体検出装置の受光素子の前面に設けることによりインバータ外乱光の入力を低減することができ、正規の赤外信号光との識別が容易になる。
【００７０】
さらに、モノリシック上に構成した物体検出回路の上に、同じモノリシック上の可視光カットフィルタを構成することにより、物体検出回路をさらに小型化でき、より検出精度の高い物体検出装置の提供が可能になる。
【図面の簡単な説明】
【００７１】
【図１】本発明の一実施形態を示すものであり、実施の形態１に係る物体検出回路の要部構成を示すブロック図である。
【図２】上記物体検出回路におけるパルス幅検知回路の構成を示すブロック図である。
【図３】上記パルス幅検知回路における各点の動作波形を示す波形図であり、（ａ）は被検出物体の有無に応じて発光素子からの出力パルス光を正常検知した場合の波形図、（ｂ）は受光素子で検知された入力光が外乱光である場合の波形図である。
【図４】本発明の他の実施形態を示すものであり、実施の形態２に係る物体検出回路の要部構成を示すブロック図である。
【図５】上記物体検出回路におけるパルス幅検知回路の構成を示すブロック図である。
【図６】上記パルス幅検知回路における各点の動作波形を示す波形図であり、（ａ）は被検出物体の有無に応じて発光素子からの出力パルス光を正常検知した場合の波形図、（ｂ）は受光素子で検知された入力光が外乱光である場合の波形図である。
【図７】従来の物体検出回路の要部構成を示すブロック図である。
【図８】上記従来の物体検出回路において、被検出物体の有無に応じて発光素子からの出力パルス光を正常検知した場合の動作波形を示す波形図である。
【図９】上記従来の物体検出回路において、受光素子で検知された入力光が外乱光である場合の動作波形を示す波形図である。
【符号の説明】
【００７２】
１，２    物体検出回路
１１        発光素子駆動回路
１２        発光素子
１３        受光素子
１４        増幅回路
１５        コンパレータ回路
１６        パルス幅検知回路（受光パルス判定部）
１７        復調回路
１８        変調信号発生回路
１９        出力回路
２１        ＡＮＤ回路
２２        カウンタ回路
２３        判定回路
３１        パルス数検知回路（受光パルス判定部）
４１        カウンタ回路
４２        判定回路
【図１】
2008267884.tif 000003
【図２】
2008267884.tif 000004
【図３】
2008267884.tif 000005
【図４】
2008267884.tif 000006
【図５】
2008267884.tif 000007
【図６】
2008267884.tif 000008
【図７】
2008267884.tif 000009
【図８】
2008267884.tif 000010
【図９】
2008267884.tif 000011